(57)【特許請求の範囲】
【請求項１】
着用者の背部に対応して設けられる背当て部と、
この背当て部に結合されて、着用者の腹部上部付近に装着されると共に、少なくとも一部が、長さ方向に伸縮可能で、長さ調節可能に構成された第１の帯部と、
前記背当て部の外側であって、該背当て部の上部領域に固定されていて、しかも該背当て部から斜め下方に延びるように設けられ、前記着用者の腹部の重さ受けることができるように、前記第１の帯部よりも大きな幅を有し、前記着用者の腹部下部付近に装着されると共に、少なくとも一部が、長さ方向に伸縮可能で、長さ調節可能に構成された第２の帯部と
を有し、
前記第１の帯部は、展開状態において、前記背当て部からほぼ水平に延びており、
且つ前記第１の帯部は、右側帯部と左側帯部とからなり、着用者の腹部上部付近に回して前記右帯部と左帯部とを固定することにより装着する構成とされ、
また前記第２の帯部は、右側帯部と左側帯部とからなり、着用者の腹部下部付近に回して前記右帯部と左帯部とを固定することにより装着する構成とされ、
第１の帯部を着用者の腹部の上部に装着した後で、第２の帯部を腹部の下部に位置するように装着することで、前記第１の帯部と前記第２の帯部にて着用者の腹部の重量を、着用者の背部に導いて支持する構成とされている
ことを特徴とする腰痛緩和ベルト。
【請求項２】
前記背当て部は、縦方向に沿って支持部材が設けられている板部材を有することを特徴とする請求項１に記載の腰痛緩和ベルト。
【請求項３】
前記第１の帯部は、複数本に分離されていることを特徴とする請求項１または２に記載の腰痛緩和ベルト。
【発明の詳細な説明】
【０００１】
【産業上の利用分野】
本発明は、例えば妊婦等が腰痛を防止もしくは緩和するために使用する腰痛緩和ベルトに関するものである。
【０００２】
【従来の技術】
従来、腰痛を和らげ、あるいは腰痛を防止するための腰痛緩和ベルトとしては、例えば痛みの原因となる箇所を締めつけるようにして、動かないようにし、このような箇所の安静をはかるようにしたものが知られている。
【０００３】
しかしながら、このような腰痛緩和ベルトの多くは、患部だけでなく腹部を圧迫してしまうので、妊婦による使用には適していない。
そこで、例えば図２１に示すような腰痛緩和ベルト１も知られている。
図において、腰痛緩和ベルト１は、着用者の腰部に当接する腰部固定板２と、この腰部固定板２から斜めに延びており、使用者の腹部の下の方へまわされる弾性支持ベルト３と、この弾性支持ベルト３と、腰部固定板２との間で、図において略３角形を呈するように形成された弾性補助ベルト４とからなっている。
【０００４】
このような腰痛緩和ベルト１にあっては、弾性支持ベルト３は、使用者の腹の下に回され、この箇所を押さえることになる。弾性補助ベルト４は、この弾性支持ベルト３を腰部固定板２に対して固定するとともに、上方に付勢するので、弾性支持ベルト３はズリ下がることなく、装着し得る。
これにより、このような腰痛緩和ベルト１にあっては、着用者の腹部を圧迫することがなく、腹式呼吸を妨げるといった有害な影響を与えることなく、腰痛の防止，もしくは緩和を行うことができるようになっている。
【０００５】
【発明が解決しようとする課題】
しかしながら、このような構成の腰痛緩和ベルト１にあっては、弾性補助ベルト４を有していても、結局、使用者の身体に対して図２１の矢印に示すように、斜め下方に沿った方向に支持力を働かせるので、弾性支持ベルト３が徐々に下がっていくことを十分に防止し得ない。
特に、妊婦の場合、腹部の膨張は、身体の可なり上の方で始まることから、支持ベルト３は下がりやすく、十分な腰痛緩和効果を期待できないという欠点があった。
【０００６】
また、図２１の腰痛緩和ベルト１では、矢印に示す一方向に支持力を働かせる関係から、重い腹部を支える力を使用者の背部に十分分散させることが出来ず、この点からの腰痛緩和が小さくなってしまう。
【０００７】
また、パンツタイプのガードルを一体に備えた腰痛緩和ベルトも知られているが、このようなものはどうしても妊婦の腹部を圧迫することを避けられず、このため身体に悪影響を与える。
【０００８】
本発明は、以上の点に鑑み、腹部の重さを支える力を分散させることができ、腰痛を緩和する効果が大きいとともに、着用者の身体に対して無理なく装着が可能な腰痛緩和ベルトを提供することを目的としている。
【０００９】
【課題を解決するための手段】
上記目的は、本発明によれば、着用者の背部に対応して設けられる背当て部と、この背当て部に結合されて、着用者の腹部上部付近に装着されると共に、少なくとも一部が、長さ方向に伸縮可能で、長さ調節可能に構成された第１の帯部と、前記背当て部及び第１の帯部の外側から固定され、前記背当て部の外側であって、該背当て部の上部領域に固定されていて、しかも該背当て部から斜め下方に延びるように設けられ、前記背当て部から斜め下方に延びるように設けられ、前記着用者の腹部の重さ受けることができるように、前記第１の帯部よりも大きな幅を有し、前記第１の帯部は、展開状態において、前記背当て部からほぼ水平に延びており、且つ前記第１の帯部は、右側帯部と左側帯部とからなり、着用者の腹部上部付近に回して前記右帯部と左帯部とを固定することにより装着する構成とされ、また前記第２の帯部は、右側帯部と左側帯部とからなり、着用者の腹部下部付近に回して前記右帯部と左帯部とを固定することにより装着する構成とされ、第１の帯部を着用者の腹部の上部に装着した後で、第２の帯部を腹部の下部に位置するように装着することで、前記第１の帯部と前記第２の帯部にて着用者の腹部の重量を、着用者の背部に導いて支持する構成とされている腰痛緩和ベルトにより、達成される。
【００１０】
【００１１】
【００１２】
また、好ましくは、前記背当て部は、縦方向に沿って支持部材が設けられている板部材を有している。
【００１３】
【００１４】
前記第１の帯部は複数本に分離されていてもよい。
【００１５】
【作用】
上記構成によれば、本発明の腰痛緩和ベルトにおいては、使用者の背部に対応して設けられた背当て部に、第１の帯部と第２の帯部が結合されている。
このため、支持しようとする腹部の重みを背当て部に関して斜め上方の方向及び斜め下方の方向に分散させることができ、背当て部が当接する着用者の背中に縦方向の荷重がかかるので、より有効に腰の負担を軽減できる。
【００１６】
特に、第１の帯部及び／又は第２の帯部の少なくとも一部が伸縮自在に構成されている場合には、使用者の腹部の重みを身体に対して弾性的に無理なく支持させることができる。
【００１７】
また、第１の帯部と第２の帯部とをそれぞれ右帯部，左帯部で形成すると、使用者の身体に回しやすく、しかも左右帯部の固定位置をずらすことにより、長さの調節も容易に行える。
【００１８】
背当て部に縦方向に沿って支持部材を設ければ、腹部の重みを使用者の背部においてより広い範囲で支持することができ、その分一層腰への負担を減らすことが可能となる。
【００１９】
【００２０】
【実施例】
以下、この発明の好適な実施例を添付図面を参照しながら、詳細に説明する。
尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１乃至図３は、本発明による腰痛緩和ベルトの第１の実施例を示しており、図１は全体の平面図、図２は分解図、図３は裏面図である。
これらの図において、腰痛緩和ベルト１０は、第１の帯部１１、背当て部１４、第２の帯部１７とを有している。
【００２２】
第１の帯部１１は、後述するように使用者の腹部の上部に回すようにして装着し得るように十分な長さと幅を備えている。
この第１の帯部１１は、使用者が腰痛緩和ベルト１０を装着した状態で、使用者の右側に位置するやや長く形成された右帯部１２と、左側に位置するやや短く形成された左帯部１３とを備えている。この右帯部１２と左帯部１３との間は、図２に示すようにやや広く形成されて所定の面積を有する接続部１１ａが設けられている。
【００２３】
第１の帯部１１は、好ましくは長さ方向に伸縮性のある帯状の部材でなり、本実施例では、主としてストレッチテープを用いている。そして、図示のように、装飾のため、このストレッチテープにストレッチレースを配して形成されている。  これ以外にも、パワーネット，トリコネット，ベア天竺等の素材を適宜用いることができる。
【００２４】
第２の帯部１７は、使用者の後述するように、腹部の下部にまわして装着するのに十分な長さを備え、かつ腹部の重みを十分に受けることができる幅に形成されている。
この第２の帯部１７は、装着した状態で使用者の右側に位置する右帯部１９と、左側に位置する左帯部１８とを備えている。
【００２５】
この第２の帯部１７も、好ましくは長さ方向に伸縮性のある帯状の部材でなり、本実施例では、主としてストレッチテープを用いている。そして、図示のように、装飾のため、このストレッチテープにストレッチレースを配して形成されている。これ以外にも、パワーネット，ツーウェイトリコット，トリコネット等の素材を適宜用いることができる。
ここで、ストレッチテープは、ナイロン，ポリエステルにポリウレタン等の弾力糸を編み込んだ伸縮性あるテープである。
ストレッチレースは、ナイロン，ポリエステルにポリウレタン等の弾力糸を編み込んだ伸縮性あるレースであり、ここでは、ストレッチテープと併用することにより、このストレッチテープの伸びを適度に制限するのに用いている。
パワーネットもこのような材質と同じもので形成しているが、さらに弾力性に富んだ布地である。
トリコネットは、ナイロンやポリエステルと、綿糸とにより肌触りが良くなるように形成した糸に、ポリウレタン等の弾性糸を編み込んだ伸縮性に富む布地である。
【００２６】
背当て部１４は、本実施例では、図示のように縦方向に長いほぼ長円形に形成された板１４として、ある程度丈夫で伸縮することのない比較的固い素材が用いられている。即ち、本実施例では針抜きネット等の固い繊維が用いられているが、これに限らず、プラスチックスやゴム材料等を用いてもよい。
この背当て部の板１４は、後述するように、使用者により腰痛緩和ベルト１０が用いられる際に、この使用者の腰より上で背中の下部に対応する部分に当接される。したがって、好ましくは、当該部位に沿った形状に立体的に形成されている。
【００２７】
そして、これらの各部材，即ち第１の帯部１１、第２の帯部１７、背当て部の板１４は図２に示すように重ねられて、固定される。
即ち、第２の帯部１７に背当て部の板１４を重ね、さらにその上に第１の帯部１１の接続部を重ねて、例えば縫着等の手段により一体に固定されている。
この場合、さらに、背当て部の板１４には、金属製のボーン１４ａ，１４ｂを縦方向に沿ってワイヤーループにてくるむことにより、固定するようにしている。これにより、本腰痛緩和ベルト１０を装着した場合に、板１４が着用に伴って折れたり、よれたりすることを防止し、縦方向の支持力が増大するようになっている。
尚、このような補強は、金属ボーンに限らず、プラスチックス等のボーンにより構成してもよい。
【００２８】
さらに、図２に示すように、第１の帯部の右帯部１２の端部には面ファスナーの雌部材１２ａが、左帯部１３の端部には面ファスナーの雄部材１３ａがそれぞれ固定されている。
また、第２の帯部の右帯部１９の端部には面ファスナーの雌部材１９ａが、左帯部１８の端部には面ファスナーの雄部材１８ａがそれぞれ固定されている。
尚、固定手段としては他にフックアイ等の種々の金属もしくは非金属の留め具を用いてもよいことは勿論である。
【００２９】
図４乃至図５はこのような腰痛緩和ベルト１０を使用者Ｐが装着した状態を示している。
即ち、図４は、腰痛緩和ベルト１０を装着した状態の正面から見た斜視図、図５は後ろから見た斜視図である。
【００３０】
この腰痛緩和ベルト１０を装着する場合を、使用者として妊婦を例に説明すると、先ず、背当て部の板１４を背中の対応する箇所に当てて、第１帯部１１を腹部の上に巻く。
具体的には、左帯部１３を身体の左側面に回し、右帯部１２の身体の右側面に回して、それぞれの端部を図６に示すように身体の側面の位置で固定する。この場合、左帯部１３の端部は、身体の左側部のやや前よりの位置になり、これに対して右帯部１２の端部を重ねるようにする。
このような位置で固定できるように左帯部１３及び右帯部１２の長さを設定しておくと、妊婦Ｐの腹部が膨張していても比較的装着しやすい。
【００３１】
このとき、左帯部の端部１２ａがかなり大きめの面ファスナー部材で形成されていると、これに固定されるべき右帯部の端部１３ａは、長さ方向に適宜の位置で固定されることができる。
したがって、使用者Ｐの体型もしくは体型の変化に対応して、固定位置を調整することができるので、妊娠後の期間経過に応じて常に適切な位置に固定することができる。
フックアイの場合は、メス金具を設ける場合に長さ方向に数列段階的にもうければ、略同一の目的を達成できるが、面ファスナーは無段階に調整できる点でより優れている。
【００３２】
次に、第２帯部１７を妊婦Ｐの腹部の下部に位置するようにして身体周囲に巻く。
具体的には、腹部の膨張，突出状態に応じて、この膨張部の下側に沿うようにして、右帯部１９を身体の左側面に回し、左帯部１８を身体の右側面に回す。そして、図６に示すように、左帯部の端部１８ａの面ファスナーに対して右帯部１９の端部である面ファスナー１９ａを重ねて固定する。
この場合、第１帯部１１と同じように、ファスナーによる固定位置を調整し得るように、ファスナーの雌部材１８ａの面積を大きめに作っておけば、使用者Ｐの体型もしくは体型の変化に対応して固定位置を長さ方向に調整することができる。
【００３３】
本実施例の腰痛緩和ベルト１０はこのように装着されることにより、図５に示すように、膨張した腹部の重みを第１の帯部１１により背中からやや上方の方向の力Ａと第２の帯部１７による背中からやや下方に向かう力Ｂとに分解して、板１４に伝える。
言い換えると、板１４に係る荷重は、第１の帯部１１による矢印Ａの力と、第２の帯部１７による矢印Ｂの力により引っ張られて、この板１４においては図示されているように、着用者Ｐの腰より上の背中の部分において矢印Ｃで示すような縦方向の力として働く。
このため、使用者Ｐは腰部への負担を大幅に低減でき、腰痛の防止もしくは緩和がなされる。
【００３４】
この場合、本実施例の腰痛緩和ベルト１０にあっては、腹部の荷重を第１及び第２の帯部１１，１７によって、複数に分散できることから、確実に荷重は背中へ集まる。これに対して、図２１にて示した従来の腰痛緩和ベルトのように、下方に延びる帯部だけで腹部の重みを背中に導く場合には、背中への荷重の移動が不十分で、一部の荷重は腰部に導かれてしまい、その分腰痛緩和の効果が小さい。
【００３５】
さらに、本実施例のように、上部に第１の帯部１１が設けられていると、その分荷重を上方で支持するので、腹部の下部に回した帯部のズリ下がりも有効に防止される。
【００３６】
さらに、本実施例の腰痛緩和ベルト１０では、パンツタイプのガードルをベルトと組み合わせていないから、膨張し、変化する妊婦の腹部を必要以上に締めつけることがなく、腹式呼吸の妨げとならない等、健康上非常に有利であり、装着感においても優れている。
【００３７】
図７は本実施例の変形例を示している。
全体の構成は前述の腰痛緩和ベルト１０と同じであるが、この腰痛緩和ベルト２０では、以下の点が相違している。
即ち、第２の帯部１７の一部に、例えば斜線にて領域を示すようにストレッチ性に富んだ材料，例えば特にこの部分だけパワーネット等を適用してもよい。
【００３８】
これにより、第２の帯部１７が腹部下部もしくは下腹部の適宜な位置に、好適にフィットさせることができる。
さらに、この第２の帯部１７は、図示のような傾斜角度でなく、例えば腰骨にかかるような角度に設定すると、妊婦だけでなく、広く一般の人々の腰痛緩和に好適に用いることができる。
【００３９】
図８は本発明の腰痛緩和ベルトの第２の実施例を示しており、図８（ａ）は展開図、図８（ｂ）は第２の帯部の右帯部３９の要部拡大図である。
図において、第１の実施例と同一の符号を付した箇所は共通する構成であるから重複する説明は省略し、相違点を中心に述べる。
【００４０】
第２の帯部の右帯部３９、左帯部３８は長さ方向に微調節できるようになっている。
図８（ｂ）に示すように、これらの帯部には複数の長さ調節手段が設けられており、この長さ調節手段は帯部の表面に隣あった領域に面ファスナーの一方３１と、面ファスナーの他方３２が形成されている。
この面ファスナーの他方領域は、図示されているように帯部本体とは別の層をなすように、かつ隣合う領域との境が固定されて、先端側がフリーとなっている。
【００４１】
この自由端側であるフリーの部分を適宜ずらして面ファスナーの一方の領域の適宜の箇所に固定されることにより、第２の帯部はその長さ方向の複数箇所で任意に長さ及び角度が調節ができるようになっている。
したがって、図９に示されているように、この実施例の腰痛緩和ベルト３０は、第１の実施例の効果に加えて、着用者の腰や腹部のカーブに対応して、より適切に第２の帯部のフィット状態を調節することが可能であるという効果を奏する。
【００４２】
図１０及び図１１は腰痛緩和ベルトの参考例１を示している。
図において腰痛緩和ベルト第２の帯部４７の左帯部４８と右帯部４９の上部に扇状に形成され、腹部を無理なく被覆することができるようになされた腹部カバー４２，４１がそれぞれ設けられている。
これら腹部カバーは、伸縮性とフィット性に優れた素材が選択され、例えばツーウェイトリコット，ストレッチメッシュ，ベアー天竺等が好適に用いられる。
【００４３】
この例においては、図１１の装着状態を示す図に表れているように、腹部カバー４１，４２の上辺が第１の帯部に相当する。そしてこれら腹部カバー４１，４２の端部にはそれぞれ、例えば面ファスナーの雄部材４１ａ、面ファスナーの雌部材４２ａが設けられており、図１１に示すように固定可能となっている。
【００４４】
一方第２の帯部４７にあっては、右帯部４９、左帯部４８には、それぞれ着用者の腸骨に当たる箇所に伸縮性に富んだ素材を図示のように三角形状に形成したフォット部４３，４４をそれぞれ設けている。また、腹部に当たる領域にはダーツ４５，４６を設けてまちを形成している。
【００４５】
この例では、腰痛緩和ベルト４０を図１１に示すように着用者が装着することによって、腹部カバー４１，４２が妊婦の腹部を無理な締めつけをすることなく被覆して保護し、当該腹部が冷えたりすることを効果的に防止できる。
さらに、この状態で第２の帯部４７は、より確実かつ無理なく腹部下部に固定されることになる。
【００４６】
図１２は本発明の腰痛緩和ベルトの第３の実施例を示している。
図１２（ａ）は、腰痛緩和ベルト５０の裏側から見た展開図であり、同図において、腰痛緩和ベルト５０は、第１の実施例と比較すると、第１の帯部５１の構成が異なっている。
本実施例においては、第１の帯部５１の右帯部５３が、伸縮性に富んだ材料，例えばパワーネット，トリコネット，ベア天竺等で形成された第１の部分５３ａと他の実施例と同一の材質で形成された第２の部分５３ｂとからなっている。
【００４７】
同様に第１の帯部５１の左帯部５２も伸縮性に富んだ材料で形成された第１の部分５２ａと他の実施例と同一の材質で形成された第２の部分５２ｂとからなっている。
さらに、背当て部に対応する箇所の上辺５１ａが、図示されているようにＲ状に形成されており、この部分が着用者の背中の上部に当たったときに、無用な刺激を与えないようになっている。
【００４８】
したがって、本実施例においては、図１２（ｂ）に示すように、腰痛緩和ベルト５０を装着すると、第１の帯部５１の右帯部及び左帯部の上記各第１の部分５３ｂ，５２ｂの作用により、腹部の上部近傍にしっかり装着される。これにより、特に第１の帯部５２の装着ズレが生じることが有効に防止される。
【００４９】
図１３は腰痛緩和ベルトの参考例２を示している。
図１３（ａ）は腰痛緩和ベルト６０の裏側から見た展開図である。図において腰痛緩和ベルト６０は第１帯部６１、第２の帯部１７を備え、それぞれ各右帯部６３，１９、左帯部６２，１８を有している。
【００５０】
この例にあっては、さらに、第１の帯部６１と第２の帯部１７の間に腹部カバー６４が形成されており、この点で上述の参考例１と近似している。
しかしながら、この例では、この腹部カバー６４は、図１３（ａ）に図示されている状態とは実際には異なっており、エンドレスに形成されている。
即ち、同図は便宜的に展開したものであり、この腹部カバー６４は、左右に別れていないので、図１３（ｂ）に示されているように、筒状につながっている。そして、図示されているように表面に襞ができるように、布地に余裕をもたせている。
【００５１】
したがって、腰痛緩和ベルト６０では、特に腹部を保温することができるとともに、従来のガードルタイプのように履くことによって装着できるので、着用が簡単である。しかもガードルタイプのようにパンツ形式ではなく、しかも布地に襞ができるように余裕をもたせているから、腹部を不必要に締めつけることがない。
【００５２】
図１４は、本発明の腰痛緩和ベルトの第４の実施例を示している。
図１４（ａ）の裏面から見た展開図に示されているように、本実施例の腰痛緩和ベルト７０が第１の実施例と異なるのは第１の帯部７１の構成である。
本実施例では、第１の帯部７１は、その右帯部７３と左帯部７２が共に先端側に二股に分離されている。
【００５３】
具体的には、右帯部７３の上分離帯７４はその先端部に面ファスナーの雌部材７４ａが形成されている。そして下分離帯７５にも先端に面ファスナーの雌部材７５ａが形成されている。
左帯部７２の上分離帯７６はその先端部に面ファスナーの雄部材７６ａが形成されている。そして下分離帯７７にも先端に面ファスナーの雄部材７７ａが形成されている。
【００５４】
したがって、使用者の腹部の形状に応じて、第１の帯部７１をよりよくフィットさせることができる。
具体的には、例えば妊婦が使用する場合に、お腹の中の胎児が妊娠初期において上の方にいるときには、上分離帯７４，７６を緩くして、下分離帯７５，７７を比較的つよく締めるようにする。
また、胎児が下がってきたら、逆に上分離帯７４，７６を締め、下分離帯７５，７７を緩める。
このように、本実施例の腰痛緩和ベルト７０では、第１の実施例の効果とは別に、さらに上述のように、使用者の体型や、特に妊婦の場合に妊娠の時期に対応して適切な装着が可能である。
【００５５】
図１５は、本発明の腰痛緩和ベルトの第５の実施例を示している。
図１５（ａ）は、腰痛緩和ベルト８０を裏面から見た展開図である。図において、本実施例の腰痛緩和ベルト８０は、第１に実施例と比較すると、第１の帯部の構成が異なっている。
【００５６】
この腰痛緩和ベルト８０では、第１の帯部８１の右帯部８３及び左帯部８２の裏面の下辺に沿って、すべり防止部８３ａ，８２ａがそれぞれ設けられている。
これらのすべり防止部８３ａ，８２ａは、摩擦係数が高い素材を適宜選択して使用され、例えばウレタン系の素材等が適している。
そして、このようなすべり防止部８３ａ，８２ａは、第１の帯部の下辺付近だけでなく、第１の帯部８１の裏面全体に設けてもよい。
【００５７】
したがって、本実施例の腰痛緩和ベルト８０は、第１の実施例と同等の効果を発揮する。さらに、これに加えて、図１５（ｂ）に示すように使用者Ｐによって装着された場合には、すべり防止部８２ａ，８３ａにより第１の帯部８１が使用中に上へズレてしまうことがなく、正しい装着状態を維持することが可能となる。
【００５８】
図１６は、本発明の腰痛緩和ベルトの参考例３を示している。
図１６（ａ）は腰痛緩和ベルト９０の裏面から見た展開図、図１６（ｂ）は使用状態を示す一部側面図である。
この腰痛緩和ベルト９０は、第１の帯部９１の左帯部９２と第２の帯部９７の右帯部９９とが適切に変化する幅を有する長い一枚の帯として、一体に形成されている。同様に、第１の帯部９１の右帯部９３と第２の帯部９７の左帯部９８とが予め設定された形状に仕上げられた一枚の長い帯状に一体に形成されている。
本例においては、この一体に形成した帯部同士を図示されているように、交差状態で重ねて、重合部９４を縫着等により固定することにより形成されている。
そして、上記重合部９４が使用者の背中に当接される背当て部を構成している。
【００５９】
したがって、第１の実施例のように第１及び第２の帯部の左右端部に面ファスナー等の固定手段を取り付けることにより、第１の実施例と同様に使用することができ、同等の効果を発揮する。
ここで、本例の腰痛緩和ベルト９０では、第１の帯部９１の左帯部９２と第２の帯部９７の右帯部９９とが一体に形成され、第１の帯部９１の右帯部９３と第２の帯部９７の左帯部９８とが一体に形成されている。これにより、構成部材の点数を少なくすることができ、きわめて容易に製造することができる。
尚、図示の例では、背当て部の板部材を用いていないが、必要により、第１の実施例のような板１４を加えてもよい。
【００６０】
図１７は本発明の腰痛緩和ベルトの参考例４を示している。
図において、腰痛緩和ベルト１００は、図１７の展開図に示すように、第１の帯部１０１、第２の帯部１０７、背当て部１０４が全て一体に構成されている。
このように構成するためには、例えばパワーネット，ツーウェイトリコット等の伸縮性のある素材を、図１７に示す形状の型紙をもとに裁断したり、あるいはプラスチックス等の適宜の素材を一体に打ち抜いたりして形成することができる。
【００６１】
これにより、面ファスナー等の各固定手段等を除き、腰痛緩和ベルトの略全ての部材を一体に形成できるので、その分製造が容易であり、コストの低下を図ることが可能となる。
尚、このようにしてつくられた腰痛緩和ベルト１００にあっても、同一の構成部分を備える以上第１の実施例と同等の効果を発揮できることは言うまでもない。
【００６２】
図１８及び図１９は、本発明の腰痛緩和ベルトの第６の実施例を示している。
ここで、図１８（ａ）は腰痛緩和ベルト１１０の裏面の展開図、図１８（ｂ）はその分解図である。
図１８（ａ）に示されているように、この腰痛緩和ベルト１１０の第１の帯部１１１と、背当て部１１４は一体に形成されている。図１８（ｂ）に示すように、背当て部１１４の裏面には面ファスナーの雄または雌部材１１４ｂが縫着等の手段により設けられている。
【００６３】
一方、第２の帯部１１７の右帯部１１９と左帯部１１８が交差して一体となった箇所の表側には上記面ファスナーと対となる面ファスナーの雄または雌部材１１７ａが設けられている。
これによって、この背当て部１１４の面ファスナー部１１４ｂと第２の帯部１１７の面ファスナー部１１７ａとは任意の位置にて固定できるようになっている。
また、背当て部１１４には縦方向に２箇所ボーン挿通部１１５，１１６が形成されており、補強処理がなされている。
【００６４】
したがって、本実施例の腰痛緩和ベルト１１０にあっては、背当て部１１の面ファスナー部１１４ｂと第２の帯部１１７の面ファスナー部１１７ａとの固定位置を図１８の矢印方向に調整することができる。
このため、図１９に示されているように、装着状態において、第１の帯部１１１と、第２の帯部１１７の装着位置が身体に関して上下の方向に可変できることとなる。
これにより、本実施例の腰痛緩和ベルト１１０にあっては、第１の実施例の効果に加えて、使用者の体型もしくは体型の変化に応じて、適切な箇所に第１の帯部１１１と第２の帯部１１７とを装着することができるという利点を有する。
【００６５】
図２０は、本発明の腰痛緩和ベルトの第７の実施例を示している。
本実施例において、第１の実施例と構造的に共通する箇所は同じ符号を付して重複する説明を省略し、相違点を中心に説明する。
本実施例の腰痛緩和ベルト１２０においては、背当て部の板１２４にマグネット１２５を固着している。
即ち、本実施例にあっては、第１の実施例に加えて、板１２４にマグネットを設けた点が異なる。このマグネット１２５は、腰痛緩和ベルト１２０を装着したときに、図２０（ｂ）にＭで示すように、使用者の腰の近傍，即ち、身体の痛みをともなう箇所に近接するような位置に設けられている。
したがって、マグネット１２５を設ける位置は、患部の種類等に応じて図示の位置に限らず、適切な位置が選択される。また、その患部の種類等に応じて磁界の強さを選定して、適切なマグネットを選択するようになっている。
【００６６】
これにより、本実施例にあっては、腹部の重みをベルトにより支持して背中で支えるようにするだけでなく、同時にマグネット１２５の磁界の作用により、腰痛の原因となる患部への治療効果を有する。
【００６７】
【発明の効果】
以上述べたように、本発明によれば、腰痛の原因となる腹部等の重みを効率良く背中で支持できるようにし、且つ装着位置のズレを生じない腰痛緩和ベルトを提供することができる。
【図面の簡単な説明】
【図１】  本発明による腰痛緩和ベルトの第１の実施例を表側から見た展開図である。
【図２】  図１の腰痛緩和ベルトの分解図である。
【図３】  図１の腰痛緩和ベルトの裏から見た展開図である。
【図４】  図１の腰痛緩和ベルトを装着した状態を斜め前から見た一部拡大斜視図である。
【図５】  図１の腰痛緩和ベルトを装着した状態を斜め後から見た一部拡大斜視図である。
【図６】  図１の腰痛緩和ベルトの装着方法を示す斜視図である。
【図７】  図１の腰痛緩和ベルトの変形例を示す斜視図である。
【図８】  腰痛緩和ベルトの第２の実施例を示す展開図である。
【図９】  図８の腰痛緩和ベルトを装着した状態を示す図である。
【図１０】  腰痛緩和ベルトの参考例１を示す展開図である。
【図１１】  図１０の腰痛緩和ベルトを装着した状態を示す図である。
【図１２】  腰痛緩和ベルトの第３の実施例を示す図である。
【図１３】  腰痛緩和ベルトの参考例２を示す図である。
【図１４】  腰痛緩和ベルトの第４の実施例を示す図である。
【図１５】  腰痛緩和ベルトの第５の実施例を示す図である。
【図１６】  腰痛緩和ベルトの参考例３を示す図である。
【図１７】  腰痛緩和ベルトの参考例４を示す図である。
【図１８】  腰痛緩和ベルトの第６の実施例を示す図である。
【図１９】  図１８の腰痛緩和ベルトを装着した状態を示す図である。
【図２０】  腰痛緩和ベルトの第７の実施例を示す図である。
【図２１】  従来の腰痛緩和ベルトの一例を示す図である。
【符号の説明】
１０    腰痛緩和ベルト
１１    第１の帯部
１２    左帯部
１３    右帯部
１４    板（背当て部）
１７    第２の帯部
１８    左帯部
１９    右帯部
【図１】
0003925948.tif 000002
【図２】
0003925948.tif 000003
【図３】
0003925948.tif 000004
【図４】
0003925948.tif 000005
【図５】
0003925948.tif 000006
【図６】
0003925948.tif 000007
【図７】
0003925948.tif 000008
【図８】
0003925948.tif 000009
【図９】
0003925948.tif 000010
【図１０】
0003925948.tif 000011
【図１１】
0003925948.tif 000012
【図１２】
0003925948.tif 000013
【図１３】
0003925948.tif 000014
【図１４】
0003925948.tif 000015
【図１５】
0003925948.tif 000016
【図１６】
0003925948.tif 000017
【図１７】
0003925948.tif 000018
【図１８】
0003925948.tif 000019
【図１９】
0003925948.tif 000020
【図２０】
0003925948.tif 000021
【図２１】
0003925948.tif 000022